(57)【要約】【課題】カード受領に関する制約をなくすとともに、与信が可能となるまでの時間を短縮するカード発行システムを提供する。【解決手段】カード発行システム１は、携帯電話１０と、通信装置２１、処理装置２２および記憶装置２３を有するカード有効化装置２０と、カード番号３１Ａと２次元コード３１Ｂが表示された無効状態のカード３１とを備えている。利用者は、携帯電話１０で２次元コード３１Ｂを読み取って送信する。カード有効化装置２０は、２次元コードの受信を条件として、記憶装置２３から申込画面情報を取得して携帯電話１０に送信する。利用者は、携帯電話１０に表示された申込画面に申込情報を入力して送信する。カード有効化装置２０は、申込情報の受信を条件として、記憶装置２３に格納されたカードＤＢ２５中のカード３１の情報を無効状態から有効状態に書き換える。【選択図】図１
2009146171.tif 000002
【特許請求の範囲】
【請求項１】
カード番号と当該カード番号に固有の２次元コードとが表示された無効状態のカードと、
２次元コードを読み取る読取部と、ネットワークを介して通信を行う通信部と、申込画面を表示する表示部と、申込情報を入力する入力部とを有する利用者端末と、
前記利用者端末とネットワークを介して通信を行う通信装置と、与えられたプログラムに従い各処理を行う処理装置と、カードデータベースを格納する記憶装置とを有するカード有効化装置と、を備えたカード発行システムの前記カード有効化装置が実行するカード発行方法であって、
前記カードデータベースは、カード番号、２次元コードおよびカードが有効状態であるか無効状態であるかを示すカード状態情報を関連付けて格納するように構成され、
前記処理装置が、
前記利用者端末の前記読取部で読み取られ、前記通信部を介して送信された２次元コードを受信するステップと、
２次元コードの受信を条件として、申込画面情報を取得して前記利用者端末に送信するステップと、
前記利用者端末の前記入力部で入力され、前記通信部を介して送信された申込情報を受信するステップと、
申込情報の受信を条件として、前記カードの前記カードデータベース中のカード状態情報を有効状態に書き換えるステップとを実行することを特徴とするカード発行方法。
【請求項２】
カード番号と当該カード番号に固有の２次元コードとが表示された無効状態のカードと、
２次元コードを読み取る読取部と、ネットワークを介して通信を行う通信部と、申込画面を表示する表示部と、申込情報を入力する入力部とを有する利用者端末と、
前記利用者端末とネットワークを介して通信を行う通信装置と、与えられたプログラムに従い各処理を行う処理装置と、カードデータベースを格納する記憶装置とを有するカード有効化装置と、を備えたカード発行システムであって、
前記カードデータベースは、カード番号、２次元コードおよびカードが有効状態であるか無効状態であるかを示すカード状態情報を関連付けて格納するように構成され、
前記処理装置は、
前記利用者端末の前記読取部で読み取られ、前記通信部を介して送信された２次元コードを受信する手段と、
２次元コードの受信を条件として、申込画面情報を取得して前記利用者端末に送信する手段と、
前記利用者端末の前記入力部で入力され、前記通信部を介して送信された申込情報を受信する手段と、
申込情報の受信を条件として、前記カードの前記カードデータベース中のカード状態情報を有効状態に書き換える手段とを備えることを特徴とするカード発行システム。
【請求項３】
前記処理装置は、
申込情報に基づいて与信が可能であるか否かを審査する手段を備え、
与信が可能である場合に、前記カードの前記カードデータベース中のカード状態情報を有効状態に書き換えることを特徴とする請求項２に記載のカード発行システム。
【請求項４】
前記利用者端末は、身分証明書の画像データを作成する画像作成部を備え、
前記処理装置は、
前記利用者端末の画像作成部で作成され、前記通信部を介して送信された身分証明書の画像データを受信する手段と、
身分証明書の画像データから所定の情報を抽出し、申込情報と関連付けて前記記憶装置に記憶させる手段と、
所定の情報と申込情報の少なくとも一部とを照合する手段とを備え、
所定の情報と申込情報の少なくとも一部とが一致した場合に、前記カードの前記カードデータベース中のカード状態情報を有効状態に書き換えることを特徴とする請求項２または請求項３に記載のカード発行システム。
【請求項５】
カード番号と当該カード番号に固有の２次元コードとが表示された無効状態のカードと、
申込情報を入力する入力部と、ネットワークを介して通信を行う通信部と、２次元コードを読み取る読取部と、申込画面を表示する表示部とを有する利用者端末と、
前記利用者端末とネットワークを介して通信を行う通信装置と、与えられたプログラムに従い各処理を行う処理装置と、カードデータベースを格納する記憶装置とを有するカード有効化装置と、を備えたカード発行システムであって、
前記カードデータベースは、申込情報、申込番号、２次元コード、カード番号およびカードが有効状態であるか無効状態であるかを示すカード状態情報を関連付けて格納するように構成され、
前記処理装置は、
前記利用者端末の前記入力部で入力され、前記通信部を介して送信された申込情報を受信する手段と、
申込情報に対応する申込番号を生成し、申込情報と関連付けて前記記憶装置に記憶させる手段と、
申込番号を、前記通信装置を介して前記利用者端末に送信する手段と、
前記利用者端末の前記読取部で読み取られ、前記通信部を介して送信された２次元コードを受信する手段と、
２次元コードの受信を条件として、申込番号入力画面情報を取得して前記利用者端末に送信する手段と、
前記利用者端末の前記入力部で入力され、前記通信部を介して送信された申込番号を受信する手段と、
送信された２次元コードと申込情報と関連付けて前記記憶装置に記憶させる手段と、
送信された２次元コードに対応するカード番号を格納する前記カードデータベース中のカード状態情報を有効状態に書き換える手段とを備えることを特徴とするカード発行システム。
【請求項６】
前記処理装置は、
申込情報に基づいて与信が可能であるか否かを審査する手段を備え、
与信が可能である場合に、申込番号を生成することを特徴とする請求項５に記載のカード発行システム。
【請求項７】
前記利用者端末は、
身分証明書の画像データを作成する画像作成部を備え、
前記処理装置は、
前記利用者端末の画像作成部で作成され、前記通信部を介して送信された身分証明書の画像データを受信する手段と、
身分証明書の画像データから所定の情報を抽出し、申込情報と関連付けて前記記憶装置に記憶させる手段と、
所定の情報と申込情報の少なくとも一部とを照合する手段とを備え、
所定の情報と申込情報の少なくとも一部とが一致した場合に、申込番号を生成することを特徴とする請求項５または請求項６に記載のカード発行システム。
【請求項８】
利用者が操作する利用者端末と通信を行い、利用者が有する無効状態のカードにカード番号ととともに表示された当該カード番号に固有の２次元コードが前記利用者端末から送信された場合に前記カードを有効化するカード有効化装置であって、
前記利用者端末とネットワークを介して通信を行う通信装置と、与えられたプログラムに従い各処理を行う処理装置と、カードデータベースを格納する記憶装置とを有するカード有効化装置と、を備え、
前記カードデータベースは、カード番号、２次元コードおよびカードが有効状態であるか無効状態であるかを示すカード状態情報を関連付けて格納するように構成され、
前記処理装置は、
前記利用者端末から送信された２次元コードを受信する手段と、
２次元コードの受信を条件として、申込画面情報を取得して前記利用者端末に送信する手段と、
前記利用者端末から送信された申込情報を受信する手段と、
申込情報の受信を条件として、前記カードの前記カードデータベース中のカード状態情報を有効状態に書き換える手段とを備えることを特徴とするカード有効化装置。
【請求項９】
利用者端末から送信された２次元コードの受信を条件として申込画面情報を取得して前記利用者端末に送信し、前記利用者端末から送信された申込情報の受信を条件として記憶装置に格納された情報を書き換えるカード有効化装置によって、無効状態から有効状態に書き換えられる与信用のカードであって、
前記カードは、カード番号と、当該カード番号に固有の２次元コードとが表示されていることを特徴とする与信用のカード。
【発明の詳細な説明】
【技術分野】
【０００１】
本発明は、無効状態のカードを現金自動預払機（ＡＴＭ）などで使用可能な有効状態とするカード発行方法、カード発行システムおよびカード有効化装置と、当該カード発行方法、カード発行システムおよびカード有効化装置によって有効化される与信用のカードに関する。
【背景技術】
【０００２】
一般に、ローンカード契約やクレジットカード契約などのカード契約（以下、カード契約という）においては、オンラインでの審査（予備審査）が可能になったことから、与信が可能であるか否かの結果が迅速に通知できるようになった。しかしながら、携帯電話などから申し込みを行った場合、ＡＴＭなどで利用するカードは、書留郵便で送付されることが多く、日中不在がちな利用者は、休日配達や休日に受け取りに行く必要があるので、実際に受領するまでにさらに数日かかっていた。すなわち、審査の迅速化が図られても、カードの受領に日数を要するので、実際に与信を受けることができるまでに時間がかかるという問題があった。オンラインで申し込む場合の他の手段として、店舗に設置されたカード発行機能を有するカード発行申込端末（例えば、特許文献１参照）を利用する方法もある。
【特許文献１】特開２００４−５４５４３号公報
【発明の開示】
【発明が解決しようとする課題】
【０００３】
しかしながら、このようなカード発行申込端末は、利用可能時間内に店舗に来店できない利用者は利用することができないという問題があった。さらに、ローンカード事業者やクレジットカード事業者などのカード事業者（以下、カード事業者という）にとっては、店舗を開設したり、借りたりして、カード発行申込端末を設置するには初期のコスト負担が過剰となる場合がある。
【０００４】
そこで、本発明は、利用者にとっては、カード受領に関する制約をなくすとともに、与信が可能となるまでの時間を短縮することができ、カード事業者にとっては、設備にかかる負担を小さくすることができるカード発行方法、カード発行システム、カード有効化装置および与信用のカードを提供することを目的とする。
【課題を解決するための手段】
【０００５】
前記した目的を達成するため、本発明は、カード番号と当該カード番号に固有の２次元コードとが表示された無効状態のカードと、２次元コードを読み取る読取部と、ネットワークを介して通信を行う通信部と、申込画面を表示する表示部と、申込情報を入力する入力部とを有する利用者端末と、前記利用者端末とネットワークを介して通信を行う通信装置と、与えられたプログラムに従い各処理を行う処理装置と、カードデータベースを格納する記憶装置とを有するカード有効化装置と、を備えたカード発行システムの前記カード有効化装置が実行するカード発行方法であって、前記カードデータベースは、カード番号、２次元コードおよびカードが有効状態であるか無効状態であるかを示すカード状態情報を関連付けて格納するように構成され、前記処理装置が、前記利用者端末の前記読取部で読み取られ、前記通信部を介して送信された２次元コードを受信するステップと、２次元コードの受信を条件として、申込画面情報を取得して前記利用者端末に送信するステップと、前記利用者端末の前記入力部で入力され、前記通信部を介して送信された申込情報を受信するステップと、申込情報の受信を条件として、前記カードの前記カードデータベース中のカード状態情報を有効状態に書き換えるステップとを実行することを特徴とする。
【０００６】
また、本発明は、カード番号と当該カード番号に固有の２次元コードとが表示された無効状態のカードと、２次元コードを読み取る読取部と、ネットワークを介して通信を行う通信部と、申込画面を表示する表示部と、申込情報を入力する入力部とを有する利用者端末と、前記利用者端末とネットワークを介して通信を行う通信装置と、与えられたプログラムに従い各処理を行う処理装置と、カードデータベースを格納する記憶装置とを有するカード有効化装置と、を備えたカード発行システムであって、前記カードデータベースは、カード番号、２次元コードおよびカードが有効状態であるか無効状態であるかを示すカード状態情報を関連付けて格納するように構成され、前記処理装置は、前記利用者端末の前記読取部で読み取られ、前記通信部を介して送信された２次元コードを受信する手段と、２次元コードの受信を条件として、申込画面情報を取得して前記利用者端末に送信する手段と、前記利用者端末の前記入力部で入力され、前記通信部を介して送信された申込情報を受信する手段と、申込情報の受信を条件として、前記カードの前記カードデータベース中のカード状態情報を有効状態に書き換える手段とを備えることを特徴とする。
【０００７】
このようなカード発行方法およびカード発行システムによれば、カードを予め生成して設置・配布することが可能となるので、利用者は予めまたは必要なときにカードを取得することができる。また、利用者は、カード取得後、２次元コードを読み取って送信することで、短時間にカードを有効状態とすることができる。その結果、カード受領に関する制約をなくし、与信が可能となるまでの時間を短縮することができる。さらに、カード事業者は、カード有効化装置のみを備えればよいので、設備コストを抑制することが可能となる。
【０００８】
また、本発明は、カード番号と当該カード番号に固有の２次元コードとが表示された無効状態のカードと、申込情報を入力する入力部と、ネットワークを介して通信を行う通信部と、２次元コードを読み取る読取部と、申込画面を表示する表示部とを有する利用者端末と、前記利用者端末とネットワークを介して通信を行う通信装置と、与えられたプログラムに従い各処理を行う処理装置と、カードデータベースを格納する記憶装置とを有するカード有効化装置と、を備えたカード発行システムであって、前記カードデータベースは、申込情報、申込番号、２次元コード、カード番号およびカードが有効状態であるか無効状態であるかを示すカード状態情報を関連付けて格納するように構成され、前記処理装置は、前記利用者端末の前記入力部で入力され、前記通信部を介して送信された申込情報を受信する手段と、申込情報に対応する申込番号を生成し、申込情報と関連付けて前記記憶装置に記憶させる手段と、申込番号を、前記通信装置を介して前記利用者端末に送信する手段と、前記利用者端末の前記読取部で読み取られ、前記通信部を介して送信された２次元コードを受信する手段と、２次元コードの受信を条件として、申込番号入力画面情報を取得して前記利用者端末に送信する手段と、前記利用者端末の前記入力部で入力され、前記通信部を介して送信された申込番号を受信する手段と、送信された２次元コードと申込情報と関連付けて前記記憶装置に記憶させる手段と、送信された２次元コードに対応するカード番号を格納する前記カードデータベース中のカード状態情報を有効状態に書き換える手段とを備えることを特徴とする。
【０００９】
このようなカード発行方法およびカード発行システムによれば、カードを予め生成して設置・配布することが可能となるので、利用者は必要なときにカードを取得することができる。また、利用者は、カード取得後、申込情報と２次元コードを送信することで、短時間にカードを有効状態とすることができる。これらにより、カード受領に関する制約をなくし、与信が可能となるまでの時間を短縮することができるとともに、利用者は予め申込手続を行った上で、必要となったときにカードを取得して与信を受けることができる。さらに、カード事業者は、カード有効化装置のみを備えればよいので、設備コストを抑制することが可能となる。
【００１０】
また、前記カード発行システムの前記処理装置は、申込情報に基づいて与信が可能であるか否かを審査する手段を備え、与信が可能である場合に、前記カードの前記カードデータベース中のカード状態情報を有効状態に書き換える、または、申込番号を生成することとしてもよい。
【００１１】
これによれば、申し込みを行った利用者に対して与信の可否の審査を行い、与信が可能であると審査された利用者のカードを有効状態とする、または、申込番号を生成するので、契約の安全性を高めることができる。
【００１２】
また、前記カード発行システムの前記利用者端末は、身分証明書の画像データを作成する画像作成部を備え、前記処理装置は、前記利用者端末の画像作成部で作成され、前記通信部を介して送信された身分証明書の画像データを受信する手段と、身分証明書の画像データから所定の情報を抽出し、申込情報と関連付けて前記記憶装置に記憶させる手段と、
所定の情報と申込情報の少なくとも一部とを照合する手段とを備え、所定の情報と申込情報の少なくとも一部とが一致した場合に、前記カードの前記カードデータベース中のカード状態情報を有効状態に書き換える、または、申込番号を生成することとしてもよい。
【００１３】
これによれば、利用者の本人確認を行った上で、カードを有効状態とする、または、申込番号を生成するので、契約の安全性を高めることができる。
【００１４】
ここで、「所定の情報」とは、例えば、身分証明書に表示されている（画像データに含まれる）利用者の氏名や住所、生年月日などの情報の少なくとも１つをいう。
【００１５】
また、本発明は、利用者が操作する利用者端末と通信を行い、利用者が有する無効状態のカードにカード番号ととともに表示された当該カード番号に固有の２次元コードが前記利用者端末から送信された場合に前記カードを有効化するカード有効化装置であって、前記利用者端末とネットワークを介して通信を行う通信装置と、与えられたプログラムに従い各処理を行う処理装置と、カードデータベースを格納する記憶装置とを有するカード有効化装置と、を備え、前記カードデータベースは、カード番号、２次元コードおよびカードが有効状態であるか無効状態であるかを示すカード状態情報を関連付けて格納するように構成され、前記処理装置は、前記利用者端末から送信された２次元コードを受信する手段と、２次元コードの受信を条件として、申込画面情報を取得して前記利用者端末に送信する手段と、前記利用者端末から送信された申込情報を受信する手段と、申込情報の受信を条件として、前記カードの前記カードデータベース中のカード状態情報を有効状態に書き換える手段とを備えることを特徴とする。
【００１６】
このようなカード有効化装置によれば、２次元コードを読み取って送信することで、カードを有効状態とすることができる。これにより、カードを予め生成して設置・配布することが可能となるので、利用者は予めまたは必要なときにカードを取得し、短時間で与信を受けることができる。さらに、店舗（窓口）を特別に設ける必要やカード発行機能を備える必要がないので、カード事業者は設備コストを抑制することができる。
【００１７】
さらに、本発明は、利用者端末から送信された２次元コードの受信を条件として申込画面情報を取得して前記利用者端末に送信し、前記利用者端末から送信された申込情報の受信を条件として記憶装置に格納された情報を書き換えるカード有効化装置によって、無効状態から有効状態に書き換えられる与信用のカードであって、前記カードは、カード番号と、当該カード番号に固有の２次元コードとが表示されていることを特徴とする。
【００１８】
このような与信用のカードによれば、カードを予め生成して設置・配布することが可能となり、２次元コードを読み取って送信することで短時間でカードを有効状態にできるので、利用者は予めまたは必要なときにカードを取得し、短時間で与信を受けることができる。また、カードが予め配布可能なので、他の事業者の会員カードなどとしても利用することができ、利用者は必要なときにいつでも与信の申し込みができるようになる。さらに、一枚のカードに２次元コードと、当該２次元コードに１対１で対応するカード番号とが表示されているので、利用者は有効化したいカードとは別のカードの２次元コードを送信してしまうという間違いを防止することができる。
【発明の効果】
【００１９】
本発明によれば、カードの受領に関する制約をなくすことができるとともに、与信が可能となるまでの時間を大幅に短縮することができる。また、カード事業者は、設備にかかる負担を大幅に小さくすることができる。
【発明を実施するための最良の形態】
【００２０】
［カード発行システム］
次に、本発明の実施形態について、適宜図面を参照しながら詳細に説明する。参照する図面において、図１は一実施形態に係るカード発行システムの構成を示す図であり、図２はカードデータベースの一例を示す図である。
【００２１】
図１に示すように、本実施形態のカード発行システム１は、利用者が操作する携帯電話１０（利用者端末）と、携帯電話１０から２次元コードや申込情報などを受信して所定の処理を実行するカード有効化装置２０と、利用者により予め取得されるカードパッケージ３０とから主に構成されている。また、カード有効化装置２０は、専用のネットワークＮ２を介してＡＴＭ４０と接続されている。
【００２２】
＜携帯電話＞
携帯電話１０は、本発明の利用者端末の一例であり、ＣＰＵ(Central Processing Unit)からなる処理部１１と、処理部１１で実行されるプログラムなどを格納する記憶部１２と、読取部および画像作成部の一例であるカメラ１３と、ネットワークＮ１と通信を行う通信部１４と、表示部の一例である液晶ディスプレイ１５と、入力部の一例である入力キー１６とから主に構成されている。
【００２３】
この携帯電話１０は、利用者の操作により、カメラ１３で２次元コード（例えば、ＱＲコード（登録商標）など）を読み取り、通信部１４およびネットワークＮ１を介して２次元コード、具体的には、２次元コードに含まれる所定の番号をカード有効化装置２０に送信することができる。
【００２４】
また、携帯電話１０は、カード有効化装置２０から送信された申込画面情報を、ネットワークＮ１および通信部１４を介して受信し、液晶ディスプレイ１５にカード契約の申込画面を表示する。そして、利用者の操作により、入力キー１６から申込画面の申込情報入力フォームに必要な事項（氏名と住所を含む）が入力され、通信部１４およびネットワークＮ１を介して申込情報をカード有効化装置２０に送信することができる。
【００２５】
ここで、「申込情報」とは、カード契約を締結する上で一般的に要求される情報をいい、例えば、利用者の氏名、住所、生年月日、性別、勤務先の情報、収入情報、借入額などである。なお、図示はしないが、本実施形態の申込画面の申込情報入力フォームは、少なくとも氏名および住所の入力欄を備えている。
【００２６】
さらに、携帯電話１０は、利用者の操作により、カメラ１３で身分証明書（例えば、免許証など）の写真と住所を含む部分を撮影して画像データを作成し、通信部１４およびネットワークＮ１を介して画像データをカード有効化装置２０に送信することができる。
【００２７】
＜カード有効化装置＞
カード有効化装置２０は、ネットワークＮ１，Ｎ２と通信を行う通信装置２１と、ＣＰＵからなる処理装置２２と、ハードディスクなどの外部記憶装置からなる記憶装置２３とから主に構成されている。
【００２８】
通信装置２１は、処理装置２２からの命令に従い、ネットワークＮ１，Ｎ２を介して携帯電話１０やＡＴＭ４０などと通信を行う装置である。本実施形態において、後述する受信手段２２Ａおよび送信手段２２Ｂは、この通信装置２１を介して、携帯電話１０などと情報の受信および送信を行っている。
【００２９】
処理装置２２は、与えられたプログラムに従い、情報の読み込み、演算、記憶などを行って、データの検索、照合、書き換えなどを行う部分である。本実施形態では、受信手段２２Ａ、送信手段２２Ｂ、申込画面情報取得手段２２Ｃ、審査手段２２Ｄ、照合手段２２Ｅおよびカード有効化手段２２Ｆが、それぞれ所定のプログラムに従い、処理装置２２により実行される。
【００３０】
記憶装置２３は、処理装置２２の各手段にそれぞれの処理を実行させるためのプログラム２４や、カードデータベース（以下、カードＤＢという。）２５、申込画面情報（図示せず）などを格納している。
【００３１】
カードＤＢ２５は、利用者の情報とカードの情報を関連付けて管理するためのデータベースである。このカードＤＢ２５には、図２に示すように、カード番号フィールド２５Ａ、２次元コードフィールド２５Ｂ、申込情報フィールド２５Ｃ、証明書住所フィールド２５Ｄ、カード状態情報フィールド２５Ｅなどが用意されている。各フィールドには、予め、または、カード有効化装置２０での処理が進行するに従って、順次情報が格納される。
【００３２】
カード番号フィールド２５Ａは、カードの表面に表示されたカード番号が予め格納される。２次元コードフィールド２５Ｂは、カード番号に固有の２次元コード、具体的には、２次元コード中に含まれる所定の番号が予め格納される。
【００３３】
ここで、「固有」とは、一枚のカードに表示された一対のカード番号と２次元コードがあり、そのカード番号が格納されたカード番号フィールド２５Ａと同じレコードにある２次元コードフィールド２５Ｂに、対となる２次元コード（２次元コード中に含まれる所定の番号）が格納されていることをいう。
【００３４】
申込情報フィールド２５Ｃは、携帯電話１０から送信された申込情報が格納される。この申込情報フィールド２５Ｃでは、申込情報を各項目別に格納するフィールド（氏名フィールド２５Ｆ、住所フィールド２５Ｇなど）がさらに用意されている。証明書住所フィールド２５Ｄは、携帯電話１０から送信された画像データに含まれる住所情報が格納される。
【００３５】
カード状態情報フィールド２５Ｅは、カード番号フィールド２５Ａに格納されたカード番号を有するカードのカード状態情報が格納される。カード状態情報は、カードが無効状態（「０」）であるか、有効状態（「１」）であるかを示す情報である。カード状態情報フィールド２５Ｅは、カード番号と２次元コードが予め格納されるときに無効状態を示す「０」と書き込まれ（図４（ａ）参照）、後述する処理の結果、カードが有効化されるときに有効状態を示す「１」と書き換えられる。
【００３６】
ここで、カードが「有効状態である」とは当該カードを利用してＡＴＭ４０で現金の引出しができる状態をいい、カードが「無効状態である」とは当該カードを利用してＡＴＭ４０で現金を引き出すことができない状態をいう。
【００３７】
以下、図１に戻って処理装置２２で実行される各手段について説明する。
【００３８】
受信手段２２Ａは、通信装置２１を介して、携帯電話１０などからの情報を受信する手段である。また、受信手段２２Ａは、必要に応じて、受信した情報を記憶装置２３に格納したり、他の手段に受信した情報を転送したりする。具体的には、携帯電話１０から送信された２次元コード（２次元コードに含まれる所定の番号）を受信して、申込画面情報取得手段２２Ｃに転送する。また、携帯電話１０から送信された申込情報を受信して、カードＤＢ２５の申込情報フィールド２５Ｃに格納する。また、携帯電話１０から送信された身分証明書の画像データを受信して、公知のＯＣＲ処理などをして画像データから住所情報を抽出し、カードＤＢ２５の証明書住所フィールド２５Ｄに格納する。
【００３９】
送信手段２２Ｂは、通信装置２１を介して、携帯電話１０などに情報を送信する手段である。具体的には、申込画面情報取得手段２２Ｃが取得した申込画面情報を受け取って携帯電話１０に送信する。また、審査手段２２Ｄから通知された審査結果を受け取って携帯電話１０に送信する。
【００４０】
申込画面情報取得手段２２Ｃは、申込画面情報を取得し、送信手段２２Ｂを介して携帯電話１０に送信する手段である。この申込画面情報取得手段２２Ｃは、記憶装置２３に格納された予め用意された申込画面情報を読み出して取得するものであってもよいし、記憶装置２３に格納された情報から申込画面情報を生成して取得するものであってもよい。審査手段２２Ｄは、取得した申込画面情報を送信手段２２Ｂを介して携帯電話１０に送信する。
【００４１】
審査手段２２Ｄは、カードＤＢ２５の申込情報フィールド２５Ｃに格納された申込情報を読み出し、これに基づいて信用情報データベース（以下、信用情報ＤＢという。）２６に信用情報照会要求を送信手段２２Ｂを介して送信する。そして、信用情報ＤＢ２６から利用者の信用情報を受信手段２２Ａを介して受信し、信用情報に基づいて申し込みを行った利用者に対して与信が可能であるか否かを審査する手段である。審査手段２２Ｄは、審査結果を送信手段２２Ｂを介して携帯電話１０に送信する。
【００４２】
なお、信用情報ＤＢ２６は、カード有効化装置２０とは別個に設けられた図示しないサーバ装置内にあって、利用者の氏名、住所、借入額、返済状況などの信用情報を格納するものである。このような信用情報ＤＢ２６を有するサーバ装置は、信用情報照会要求を受信して、信用情報ＤＢ２６を照会し、信用情報を送信（提供）する。
【００４３】
照合手段２２Ｅは、カードＤＢ２５の申込情報フィールド２５Ｃの住所フィールド２５Ｇに格納された申込時の住所情報と、証明書住所フィールド２５Ｄに格納された身分証明書の住所情報とを読み出して比較・照合する手段である。照合手段２２Ｅは、照合の結果、申込時の住所情報と身分証明書の住所情報とが一致すれば、その旨をカード有効化手段２２Ｆに通知する。
【００４４】
一方、申込時の住所情報と身分証明書の住所情報とが不一致であれば、送信手段２２Ｂを介して携帯電話１０に送信する。この場合、携帯電話１０の液晶ディスプレイ１５にエラーメッセージなどを表示して、その後の処理を終了したり、再度画像データの送信を要求したりする構成としてもよい。また、後日（例えば、後述する契約書３２などを返送するとき）、住所変更を証明できる書面の送付を促すメッセージなどを表示して、その後の処理を継続する構成としてもよい。
【００４５】
カード有効化手段２２Ｆは、照合手段２２Ｅから申込時の住所情報と身分証明書の住所情報とが一致した旨の通知を受けた場合に、利用者から送信された２次元コードに１対１で対応するカード番号が格納されたカード番号フィールド２５Ａと同じレコードにあるカード状態情報フィールド２５Ｅを、無効状態から有効状態に書き換える手段である。具体的には、カード状態情報フィールド２５Ｅを無効状態を示す「０」から、有効状態を示す「１」に書き換える。
【００４６】
＜カードパッケージ＞
図１に示すように、カードパッケージ３０は、無効状態のカード３１と、カード契約用の契約書３２と、契約書３２などを返送するための返送用封筒３３とが主に封入されたパッケージである。
【００４７】
カード３１は、表面にカード番号３１Ａが表示されている。また、裏面には、カード番号３１Ａに固有の２次元コード３１Ｂが表示されている。このような、２次元コード３１Ｂの例としては、ＱＲコード（登録商標）などを挙げることができる。
【００４８】
このようなカードパッケージ３０は、公知の手法によって予め作成され、カード番号３１Ａと２次元コード３１Ｂを、予めカード有効化装置２０の記憶装置２３（カードＤＢ２５のカード番号フィールド２５Ａと２次元コードフィールド２５Ｂ）に格納した上で、配布される。カードパッケージ３０の配布方法としては、例えば、コンビニエンスストア、駅、映画館、レンタルビデオ店、遊技施設などに設置して、利用者に持っていってもらう方法や、金融機関、カード事業者の営業店舗、街頭などで配布する方法などを挙げることができる。
【００４９】
＜ＡＴＭ＞
ＡＴＭ４０は、金融機関やコンビニエンスストア、駅、スーパーマーケットなどに設置された公知のＡＴＭ（現金自動預払機）やＣＤ（現金自動支払機）などである。詳細な構成は図示しないが、ＡＴＭ４０は、カード３１が利用されると、ネットワークＮ２を介してカード有効化装置２０にカード状態情報の提供を要求する。カード３１が無効状態である場合、ＡＴＭ４０は処理を終了する。カード３１が有効状態である場合は、通常の処理を実行して現金の払い出しを行う。
【００５０】
［動作］
次に、本実施形態のカード発行システム１の動作について説明する。図３は本発明の一実施形態に係るカード発行システムの動作を示すフローチャートであり、図４（ａ）〜（ｄ）はカードデータベースの経時変化を示す図である。
【００５１】
まず、利用者は、カードパッケージ３０を取得する。カードパッケージ３０の取得方法は、前記したように、店舗や施設に設置されたカードパッケージ３０を取得する方法や、配布されているカードパッケージ３０を取得する方法などがある。カードパッケージ３０を取得した利用者は、携帯電話１０を操作して、カメラ１３でカード３１の２次元コード３１Ｂを読み取り、カード有効化装置２０に送信する（ステップＳ１）。
【００５２】
送信された２次元コードは、カード有効化装置２０の受信手段２２Ａが受信して、申込画面情報取得手段２２Ｃに通知する（ステップＳ２）。そうすると、申込画面情報取得手段２２Ｃが、記憶装置２３から予め用意された申込画面情報を読み出す、または、記憶装置２３内の情報から申込画面情報を生成するなどの方法で申込画面情報を取得し、送信手段２２Ｂを介して携帯電話１０に送信する（ステップＳ３）。
【００５３】
申込画面情報を受信した携帯電話１０は、液晶ディスプレイ１５にカード契約の申込画面を表示する（ステップＳ４）。そして、利用者は、入力キー１６を操作して申込画面の申込情報入力フォームに氏名、住所およびその他必要な事項を入力し、入力した申込情報をカード有効化装置２０に送信する（ステップＳ５）。
【００５４】
送信された申込情報は、受信手段２２Ａが受信して、図４（ｂ）に示すように、送信された２次元コード（２次元コードに含まれる所定の番号）が格納された２次元コードフィールド２５Ｂと同じレコードの申込情報フィールド２５Ｃの各フィールド（氏名フィールド２５Ｆ、住所フィールド２５Ｇなど）に、利用者の氏名や住所などをそれぞれ格納する（ステップＳ６）。
【００５５】
次に、審査手段２２Ｄが、カードＤＢ２５から申込情報を読み出し、これに基づいて信用情報ＤＢ２６から信用情報を取得し、取得した信用情報に基づいて申し込みを行った利用者に対して与信ができるか否かを審査する。そして、審査結果を、送信手段２２Ｂを介して携帯電話１０に送信する（ステップＳ７）。
【００５６】
与信ができない場合には、携帯電話１０の液晶ディスプレイ１５に、その旨の内容が表示され、処理は終了する。
【００５７】
与信ができる場合には、携帯電話１０の液晶ディスプレイ１５に、免許証などの身分証明書を撮影して送信するように依頼する内容が表示される。利用者は、携帯電話１０を操作して、カメラ１３で身分証明書の写真と住所を含む部分を撮影し、作成した身分証明書の画像データをカード有効化装置２０に送信する（ステップＳ８）。
【００５８】
なお、与信ができる旨の審査結果が通知されるときには、審査手段２２Ｄから審査結果とともに契約内容を表示させる情報が送信され、携帯電話１０の液晶ディスプレイ１５に契約内容が表示される。利用者は、契約内容を確認し、同意した上で身分証明書の画像データを送信する。
【００５９】
送信された画像データは、受信手段２２Ａが受信して、住所情報を抽出し、図４（ｃ）に示すように、申込情報が格納された申込情報フィールド２５Ｃと同じレコードの証明書住所フィールド２５Ｄに格納する（ステップＳ９）。
【００６０】
次に、照合手段２２Ｅが、カードＤＢ２５の住所フィールド２５Ｇから申込情報の住所情報を読み出すとともに、証明書住所フィールド２５Ｄから身分証明書の住所情報を読み出して照合する（ステップＳ１０）。照合の結果、申込情報の住所情報と身分証明書の住所情報とが不一致であった場合（ステップＳ１１，ＮＯ）、照合手段２２Ｅは、その旨を、送信手段２２Ｂを介して携帯電話１０に送信する。携帯電話１０の液晶ディスプレイ１５には、申込情報の住所情報と身分証明書の住所情報とが不一致である旨と、再度、身分証明書を撮影して送信するように依頼する内容が表示される。
【００６１】
なお、申込情報の住所情報と身分証明書の住所情報とが不一致であった場合や、再送信された身分証明書の住所情報と申込情報の住所情報とが不一致であった場合には、処理を終了することとしてもよい。また、申込情報の住所情報と身分証明書の住所情報とが不一致であった場合、携帯電話１０の液晶ディスプレイ１５に、後日住所変更を証明できる書面の送付を促すメッセージを表示して、その後の処理を継続することとしてもよい。
【００６２】
申込情報の住所情報と身分証明書の住所情報とが一致した場合には、照合手段２２Ｅが、その旨をカード有効化手段２２Ｆに通知する（ステップＳ１１，ＹＥＳ）。
【００６３】
そして、カード有効化手段２２Ｆが、図４（ｄ）に示すように、利用者から送信された２次元コードに１対１で対応するカード番号が格納されたカード番号フィールド２５Ａと同じレコードにあるカード状態情報フィールド２５Ｅを、無効状態を示す「０」から、有効状態を示す「１」に書き換える（ステップＳ１２）。これにより、カード３１は有効状態となり、利用者は、カード３１を使用してＡＴＭ４０から現金を引き出すことが可能となる。
【００６４】
なお、利用者は、所定の期日までにカードパッケージ３０に含まれる契約書３２を記入し、身分証明書のコピーなどとともに、返送用封筒３３で、カード事業者に返送する。契約書３２などが所定の期日までに返送されない場合には、カード有効化手段２２Ｆが、該当するカード番号を有するカードＤＢ２５中のカード状態情報フィールド２５Ｅを有効状態を示す「１」から、無効状態を示す「０」に書き換える。これにより、カード３１がＡＴＭ４０で利用できない状態（無効状態）となる。
【００６５】
以上によれば、本実施形態において以下のような効果を得ることができる。
【００６６】
カード番号３１Ａと２次元コード３１Ｂが表示されたカード３１は、予め作成して設置・配布などができるので、例えば、２４時間営業のコンビニエンスストアなどに設置することで、利用者は、予めまたは必要なときにいつでもカード３１を取得することができる。そして、カード３１を取得した利用者は、携帯電話１０を使用して、その場で２次元コードを送信することで、短時間でカード３１を有効状態とすることができる。これらにより、利用者は、短時間でＡＴＭ４０から現金を引き出すことができる。
【００６７】
なお、本実施形態では、２次元コードの送信の後、与信ができるか否かの審査と、画像データの送信による本人確認（申込情報の住所情報と身分証明書の住所情報との照合）とを経た上でカード３１を有効状態としているので、契約の安全性が高められている。
【００６８】
カード事業者は、カード有効化装置２０のみを備えればよく、カードパッケージ３０（カード３１）は、店舗や施設などで設置してもらったり、配布してもらったりできるので、設備コストを抑制することが可能となる。また、店舗や施設の側は、パンフレットやフリーペーパーなどを設置している既設のスタンドなどにカードパッケージ３０（カード３１）を設置するだけでよいので、新たな負担がなく、導入が容易である。
【００６９】
以上、本発明の実施形態について説明したが、本発明は前記した実施形態に限定されるものではない。具体的な構成については、本発明の趣旨を逸脱しない範囲で適宜変更が可能である。
【００７０】
前記した実施形態では、カードパッケージ３０（カード３１）の取得方法の例として、店舗や施設に設置されたものを取得する方法や、配布されているものを取得する方法などを示したが、これに限定されるものではない。すなわち、本発明は、利用者が与信を必要とするときに、カードに表示された２次元コードを送信してカードを有効化するものなので、それまではカードに他の用途・機能を持たせておくことが可能となる。したがって、本発明で使用されるカードは、例えば、映画館やレンタルビデオ店などの会員カードとすることができ、会員カードの交付という形で取得することができる。会員カードは、財布などに入れて常に携帯するものなので、利用者は与信が必要となったときにいつでもその申し込みができる。
【００７１】
なお、本発明で使用されるカードを、会員カードとした場合、本発明における申込情報を送信する際には、与信に必要な情報のみを送信すればよい。すなわち、利用者は、会員カードを申し込む際に氏名や住所、生年月日、性別などを会員カード発行者に提供している。そのため、カード契約の際には、会員カード発行者から氏名などの情報の提供を受けることができるので、本発明における申込情報を要求する際には、勤務先の情報や収入情報、借入額などカード契約に必要な情報を要求すれば足りる。これによって、利用者の利便を図ることができる。
【００７２】
前記した実施形態では、２次元コードに含まれる所定の番号を２次元コードフィールド２５Ｂに格納する例を示したが、これに限定されるものではない。例えば、２次元コードに含まれる（２次元コードに含めた）利用者の氏名や住所、カード番号などの情報のうち、少なくとも１つを２次元コードフィールド２５Ｂに格納してもよい。
【００７３】
前記した実施形態では、利用者端末の一例として携帯電話１０を示したが、これに限定されず、例えば、図５に示すようなパーソナルコンピュータ５０であってもよい。パーソナルコンピュータ５０は、ＣＰＵからなる処理部５１と、処理部５１で実行されるプログラムなどを格納する記憶部５２と、読取部の一例である２次元コードスキャナ５３と、ネットワークＮ１（図１参照）と通信を行う通信部５４と、表示部の一例であるモニタ５５と、入力部の一例であるキーボード５６およびマウス５７と、画像作成部の一例であるスキャナ５８とから主に構成されている。
【００７４】
このパーソナルコンピュータ５０は、利用者の操作により、２次元コードスキャナ５３で２次元コードを読み取り、通信部５４およびネットワークＮ１を介して２次元コードをカード有効化装置２０に送信することができる。また、カード有効化装置２０から送信された申込画面情報を受信し、モニタ５５にカード契約の申込画面を表示する。そして、キーボード５６やマウス５７により申込画面の申込情報入力フォームに必要な事項（氏名と住所を含む）が入力され、カード有効化装置２０に送信することができる。さらに、スキャナ５８で身分証明書の写真と住所を含む部分の画像データを作成し、カード有効化装置２０に送信することができる。
【００７５】
前記した実施形態では、身分証明書を、携帯電話１０のカメラ１３で撮影して送信する例や、パーソナルコンピュータ５０のスキャナ５８で画像データを作成して送信する例を示したが、これに限定されるものではない。例えば、身分証明書（またはそのコピー）をファクシミリ装置などで送信してもよい。
【００７６】
前記した実施形態では、カードパッケージの一例として契約書３２と返送用封筒３３が同封されたカードパッケージ３０を示したが、これに限定されるものではない。例えば、設置や配布などされるカードパッケージは、無効状態のカードが主に封入されたものや、無効状態のカードがカード台紙に貼り付けられたものなどとし、契約書や返送用封筒などは利用者に対して別途郵送する構成としてもよい。なお、別途郵送される書類などの中に、カード番号に固有の２次元コードを付しておき、利用者がこの２次元コードを送信することで受け取り確認がなされる構成とすることもできる。
【００７７】
前記した実施形態では、特に記載していないが、リスクコントロールの観点から以下のような構成を追加することができる。すなわち、カードを有効状態とした段階では、まず与信枠の一部を利用可能（ＡＴＭからの出金などを可能）とし、カードパッケージに同封された契約書などが返送された段階や、別途郵送された契約書などの受け取り確認がなされた段階で与信枠の全部を利用可能（ＡＴＭからの出金などを可能）とするように構成することができる。また、カードを有効状態とした段階で、まず利用者が予め指定した本人名義の銀行口座に与信枠の一部の振り込みを実行し、指定された銀行口座の実在（振込着金）が確認された段階で与信枠の全部を利用可能とするように構成することもできる。
【００７８】
前記した実施形態では、ローンカード事業者やクレジットカード事業者などのカード事業者が取り扱うカードの有効化を例に本発明を説明したが、本発明の適用はこれに限定されるものではない。すなわち、本発明は、銀行業務や証券業務などを行う金融機関が取り扱うカードや、その他のサービス事業者が取り扱う顧客カード（例えば、会員証）などの発行受付、カード配布にも利用することができる。
【００７９】
前記した実施形態では、利用者が予めカードパッケージ３０を取得し、２次元コードを送信してカードを有効状態とする例を示したが、これに限定されず、例えば、予め申込手続を完了させた後、カードパッケージを取得して、カードを有効状態としてもよい。具体的には、まず、利用者は、利用者端末（携帯電話やパーソナルコンピュータなど）を操作して、カード契約の申込画面を表示し、申込画面の申込情報入力フォームに申込情報（氏名や住所、その他必要な事項）を入力してカード有効化装置に送信する。申込情報を受信したカード有効化装置は、前記した実施形態と同様に、利用者の審査や本人確認を行った後、申込番号を生成して申込情報と関連付けて記憶装置に記憶させるとともに、利用者端末に送信する。この段階で申込手続は完了する。
【００８０】
その後、利用者は、設置または配布されるカードパッケージを取得して、２次元コードを読み取ってカード有効化装置に送信する。２次元コードを受信したカード有効化装置は、記憶装置から申込番号入力画面情報を取得して利用者端末に送信する。利用者端末では、例えば、前記した実施形態のカード契約の申込画面の下方に設けられた（表示された）「承認済」というボタンを押すことで、申込番号入力画面が表示され、この画面の所定の入力フォームに申込番号や必要に応じて申込情報の一部（生年月日など）を入力して送信する。
【００８１】
ここで、カード有効化装置では、２次元コードが送信された段階で、カードデータベース中のどのカード番号を有するカードの有効化が行われようとしているかわかるようになっている。また、このカードデータベースには、前記したカードＤＢ２５のカード番号フィールド、２次元コードフィールド、申込情報フィールド、証明書住所フィールドおよびカード状態情報フィールドの他に、申込番号が格納される申込番号フィールドが用意されている。なお、前記した実施形態と同様に、カード番号フィールド、２次元コードフィールドおよびカード状態情報フィールドには、予めカード番号、固有の２次元コードおよびカードの状態情報が格納されている。
【００８２】
利用者端末から送信された申込番号などを受信したカード有効化装置は、有効化されようとしているカードのカード番号や固有の２次元コードが格納された各フィールドと同じレコードの申込情報フィールドおよび申込番号フィールドに、それぞれ、申込情報と申込番号を格納する。これにより、カード（カード番号）と利用者の情報（申込情報）が関連付けられる。そして、カード有効装置は、送信された２次元コードに１対１で対応するカード番号が格納されたカード番号フィールドと同じレコードにあるカード状態情報フィールドを、無効状態から有効状態に書き換える。これにより、カードは有効状態となり、利用者は、カードを使用してＡＴＭなどから現金を引き出すことが可能となる。
【００８３】
このような形態によれば、前記したカードパッケージを取得した後に２次元コードや申込情報などを送信してカードを有効状態とする形態と同様に、カード番号と２次元コードが表示されたカードを予め作成して、設置・配布などができるので、利用者は、予めまたは必要なときにいつでもカードを取得することができる。また、カードを取得した利用者は、携帯電話などを使用して、その場で２次元コードなどを送信することで、短時間でカードを有効状態とすることができる。これらにより、利用者は、短時間でＡＴＭから現金を引き出すことなどができる。
【００８４】
さらに、この形態では、利用者は、カードパッケージ（カード）を取得する前に、申込情報を送信して審査を受け、審査通過後に身分証明書の画像データを送信して本人確認を行うので、予め申込手続を完了させておくことができる。その後、カードの表示された２次元コード送信し、さらに申込手続の際に発行された申込番号を送信することでカードを有効状態とするので、手元にカードがなくても与信の申し込みが可能となり、利用者の利便性をより向上させることができる。
【図面の簡単な説明】
【００８５】
【図１】本発明の一実施形態に係るカード発行システムの構成を示す図である。
【図２】本発明のカードデータベースの一例を示す図である。
【図３】本発明の一実施形態に係るカード発行システムの動作を示すフローチャートである。
【図４】（ａ）〜（ｄ）はカードデータベースの経時変化を示す図である。
【図５】本発明の利用者端末の他の例であるパーソナルコンピュータの構成を示す図である。
【符号の説明】
【００８６】
１      カード発行システム
１０    携帯電話
１３    カメラ
１４    通信部
１５    液晶ディスプレイ
１６    入力キー
２０    カード有効化装置
２１    通信装置
２２    処理装置
２２Ａ  受信手段
２２Ｂ  送信手段
２２Ｃ  申込画面情報取得手段
２２Ｄ  審査手段
２２Ｅ  照合手段
２２Ｆ  カード有効化手段
２３    記憶装置
２５    カードデータベース
３１    カード
３１Ａ  カード番号
３１Ｂ  ２次元コード
５０    パーソナルコンピュータ
５３    ２次元コードスキャナ
５４    通信部
５５    モニタ
５６    キーボード
５７    マウス
５８    スキャナ
【図１】
2009146171.tif 000003
【図２】
2009146171.tif 000004
【図３】
2009146171.tif 000005
【図４】
2009146171.tif 000006
【図５】
2009146171.tif 000007